(57)【要約】【課題】　予め洗濯した綿布にゆすぎ組成物を施与することで、綿布の日光防護率、引裂き強さおよび耐光性を著しく向上させる。【解決手段】　綿布を洗浄し、次いで該洗浄した綿布を水性ゆすぎサイクル布柔軟剤組成物でゆすぐことからなる綿布の処理方法であって、該水性ゆすぎサイクル布柔軟剤組成物が、ａ）該組成物の全重量を基準にして５〜２５重量％の陽イオン布柔軟剤；ｂ）該組成物の全重量を基準にして０．３〜１０重量％の、該陽イオン布柔軟剤と相容性である特定の蛍光増白剤；およびｃ）実質的に残部の水からなり、該綿布の日光防護率を少なくとも５００％に増大させることを特徴とする綿布の処理方法。【選択図】　なし【特許請求の範囲】
【請求項１】
　綿布を洗浄し、次いで該洗浄した綿布を水性ゆすぎサイクル布柔軟剤組成物でゆすぐことからなる綿布の処理方法であって、該水性ゆすぎサイクル布柔軟剤組成物が、
ａ）該組成物の全重量を基準にして５〜２５重量％の陽イオン布柔軟剤；
ｂ）該組成物の全重量を基準にして０．３〜１０重量％の、該陽イオン布柔軟剤と相容性である蛍光増白剤であって、
　１）式：
【化１】
2004068246.tif 000035
（式中、Ｒ１４は水素、クロロ、Ｃ１−Ｃ４アルキル、Ｃ１−Ｃ４アルコキシ、シアノ、またはＣ１−Ｃ４アルコキシカルボニルであり；ｑは１または２であり；Ｙ１はＣ２−Ｃ４アルキレンまたはヒドロキシプロピレンであり；Ｒ１８はＣ１−Ｃ４アルキルであるか、またはＲ１９およびＲ１８とＲ１９とがそれぞれ結合している窒素原子と共にピロリジン、ピペリジン、ヘキサメチレンイミン、またはモルホリン環を形成しており；Ｒ１９はＣ１−Ｃ４アルキルであるか、またはＲ１８およびＲ１８とＲ１９とがそれぞれ結合している窒素原子と共にピロリジン、ピペリジン、ヘキサメチレンイミン、またはモルホリン環を形成しており；Ｒ２０は水素、Ｃ１−Ｃ４アルキル、Ｃ３−Ｃ４アルケニル、Ｃ１−Ｃ４アルコキシカルボニルメチル、ベンジル、Ｃ２−Ｃ４ヒドロキシアルキル、Ｃ２−Ｃ４シアノアルキルであるか、またはＲ１８およびＲ１９およびこれらがそれぞれ結合している窒素原子と共にピロリジン、ピペリジン、ヘキサメチレンイミン、またはモルホリン環を形成しており；Ａ−　は陰イオンであり；かつｐは０または１である）を有するビスチリル化合物；
　２）式：
【化２】
2004068246.tif 000036
（式中、Ｒ１４は水素、クロロ、Ｃ１−Ｃ４アルキル、Ｃ１−Ｃ４アルコキシ、シアノ、またはＣ１−Ｃ４アルコキシカルボニルであり；ｑは１または２であり；Ｙ１はＣ２−Ｃ４アルキレンまたはヒドロキシプロピレンであり；Ｒ２１およびＲ２２は独立的にＣ１−Ｃ４アルキルまたはＣ２−Ｃ３アルケニルであるか、またはＲ２１とＲ２２とは、それらがそれぞれ結合している窒素原子と共にピロリジン、ピペリジン、ヘキサメチレンイミン、またはモルホリン環を形成しており；Ｚ１は酸素、硫黄、直接結合、−ＣＯＯ−、−ＣＯＮ（R２４）−、または−ＳＯ２Ｎ（Ｒ２４）−（式中Ｒ２４は水素、Ｃ１−Ｃ４アルキル、またはシアノエチルである）であり；かつＱは−ＣＯＯまたは−ＳＯ３である）を有するスチレン化合物；
　３）式：
【化３】
2004068246.tif 000037
（式中、Ｒ３３は非置換または１個もしくは２個のＳＯ３Ｍ基によって置換されたＮＨ−フェニルであり；Ｒ３４はＮＨ−Ｃ１−Ｃ４アルキル、Ｎ（Ｃ１−Ｃ４アルキル）２、Ｎ（Ｃ１−Ｃ４アルキル）（Ｃ１−Ｃ４ヒドロキシアルキル）、Ｎ（Ｃ１−Ｃ４ヒドロキシアルキル）２、またはモルホリノであり；かつＭはＨ、Ｎａ、Ｋ、Ｃａ、Ｍｇ、アンモニウム、モノ−、ジ−、トリ−もしくはテトラ−Ｃ１−Ｃ４アルキルアンモニウム、モノ−、ジ−もしくはトリ−Ｃ１−Ｃ４ヒドロキシアルキルアンモニウム、またはＣ１−Ｃ４アルキル基とＣ１−Ｃ４ヒドロキシアルキル基との混合物によって二置換または三置換されたアンモニウムである）を有するビス（トリアジニル）ジアミノスチルベン化合物；
　４）式：
【化４】
2004068246.tif 000038
（式中、Ｒ３５はＨ、Ｃ１−Ｃ４アルキル、ＣＮ、ＣｌまたはＳＯ３Ｍであり；Ｒ３６およびＲ３７は独立的にＨ、Ｃ１−Ｃ４アルキル、ＳＯ３Ｍ、ＣＮ、ＣｌまたはＯ−Ｃ１−Ｃ４アルキルであり；ＭはＨ、Ｎａ、Ｋ、Ｃａ、Ｍｇ、アンモニウム、モノ−、ジ−、トリ−もしくはテトラ−Ｃ１−Ｃ４アルキルアンモニウム、モノ−、ジ−もしくはトリ−Ｃ１−Ｃ４ヒドロキシアルキルアンモニウム、またはＣ１−Ｃ４アルキル基とＣ１−Ｃ４ヒドロキシアルキル基との混合物によって二置換または三置換されたアンモニウムであり、Ｒ３５、Ｒ３６およびＲ３７のうち少なくとも２個はＳＯ３Ｍであり、その第３の基は可溶化性を有する）を有するジベンゾフラニルビフェニル化合物；および
　５）式：
【化５】
2004068246.tif 000039
（式中、Ｒ３８はＨ、ＳＯ３Ｍ、Ｏ−Ｃ１−Ｃ４アルキル、ＣＮ、Ｃｌ、ＣＯＯ-Ｃ１−Ｃ４アルキルまたはＣＯＮ（Ｃ１−Ｃ４アルキル）２であり；ＭはＨ、Ｎａ、Ｋ、Ｃａ、Ｍｇ、アンモニウム、モノ−、ジ−、トリ−もしくはテトラ−Ｃ１−Ｃ４アルキルアンモニウム、モノ−、ジ−もしくはトリ−Ｃ１−Ｃ４ヒドロキシアルキルアンモニウム、またはＣ１−Ｃ４アルキル基とＣ１−Ｃ４ヒドロキシアルキル基との混合物によって二置換または三置換されたアンモニウムであり；かつｒは０または１である）を有するビスチリルフェニル化合物からなる群より選ばれた蛍光増白剤；並びに
ｃ）実質的に残部の水
からなり、該綿布の日光防護率を少なくとも５００％に増大させることを特徴とする綿布の処理方法。
【請求項２】
　前記水性ゆすぎサイクル布柔軟剤組成物が、乳化剤、香料、着色染料、乳白剤、ＵＶ吸収剤、殺菌剤、非イオン界面活性剤、ゲル化防止剤および腐食防止剤から選ばれた補助剤をさらに含有している請求項１記載の綿布の処理方法。
【発明の詳細な説明】
【技術分野】
【０００１】
　本発明は、布処理用組成物、特に蛍光増白剤を含有する組成物、および当該組成物を用いて処理された紡織繊維材料の日光防護率（ＳＰＦ）改良のために上記組成物を用いて布を処理する方法に関する。
【０００２】
　波長２８０〜４００nmの光線が表皮の褐色化（tanning)を起すことは知られている。また、波長２８０〜３２０nm（ＵＶ−Ｂ放射線と呼ばれる）の光線が、皮膚の褐色化を抑制できる紅斑および日焼け（skin burning) を起すことも知られている。
　波長３２０〜４００nmの放射線（ＵＶ−Ａ放射線と呼ばれる）は、皮膚の褐色化を誘発するが、また特に長時間日光にさらされる敏感な皮膚に対して、皮膚障害を起す可能性があることが知られている。このような障害の例は、皮膚弾性の消失、しわの発生、紅斑反応の開始の促進、光毒反応または光アレルギー反応の誘起を含む。日光への過度の露出による障害から皮膚を有効に保護する手段は、日光のＵＶ−ＡおよびＵＶ−Ｂ両成分が皮膚表面に達する前に、それらを吸収する手段を包含する必要があることは明らかである。
【０００３】
　従来、日光中のＵＶ成分による潜在的障害から露出したヒトの皮膚を保護するためには、ＵＶ吸収剤を含有する製剤を皮膚に直接塗布することが行なわれてきた。特に陽光がさんさんと注ぐ、たとえばオーストラリアおよびアメリカのような地域においては、オゾン層破壊の結果に対する恐れにより輪をかけられて、日光への過度の露出による潜在的危険についての認識が著しく増加している。無防備な日光への過度の露出によってひき起される皮膚障害のきわめて悲惨な例の幾つかは、皮膚の黒色腫またはがん腫の発生である。
【０００４】
　日光に対する皮膚の保護レベルを高めるという要求の一つの局面は、皮膚の直接的保護のほからに取るべき追加的手段を考慮することであった。たとえば、衣類で蔽って日光に直接さらされないようにして皮膚を保護することが、考慮された。
　大部分の天然および合成繊維材料は、日光のＵＶ成分に対して少なくとも部分的に透過性である。従って、単に衣類を着るだけでは、その下の皮膚をＵＶ放射線による障害から十分に保護することにはならない。濃色の染料および（または）緻密に織った生地を有する衣類は、その下の皮膚をある程度保護することができるが、着用者の個人的快適さの見地からは、上記の衣類は陽光の強い地方においては実用的でない。
【０００５】
　従って、染色されていないか、またはごく淡色に染色されている軽量の夏衣類を含めて、衣類の下の皮膚を紫外線から保護することが必要である。染料の種類によっては、若干濃色に染色された衣類で蔽われている皮膚でも紫外線に対する保護が必要となる場合もありうる。
　このような軽量の夏衣料は、通常２００ｇ／m２未満の密度を有し、衣類を製造する繊維のタイプにもよるが、１．５〜２０の日光防護率を有している。
　日焼け防止手段（日焼け止めクリームまたは衣類）のＳＰＦ評価値は、日焼け防止手段を身につけている平均的人間が平均的日光被曝条件下において日焼け症にかかるまでの時間の倍数として定義できる。たとえば、平均的人間が標準的露出条件下において通常３０分後には日焼け症にかかる場合、ＳＰＦ評価が５である日焼け防止手段は、保護時間を３０分から２時間３０分までに延長できる。日中の最も暑い時間帯において、平均的色白皮膚の人に対し、平均日焼け時間が最小、たとえばわずか１５分間である、特に日差しの強い地域に住む人々に対しては、軽量の衣類に対しては、少なくとも２０のＳＰＦ等級が望ましい。
【０００６】
　驚くべきことに、布保護成分（fabric care ingrudient) と相容性がある蛍光増白剤、好ましくは陽イオン、両性、または陰イオン蛍光増白剤を含有するゆすぎサイクル布保護調合物（rinse cycle fabric care formulation)、特に布柔軟剤成分と相容性である蛍光増白剤、好ましくは陽イオン、両性、または陰イオン蛍光増白剤を、従来のゆすぎサイクル布保護調合物において使うよりも多量に含んでいるゆすぎサイクル布柔軟剤を、衣類の洗った物品に適用した時に、このように処理された繊維材料に優れた白色度と日光防護率とを与えることが見いだされた。
【０００７】
　従って、第１の特徴として、本発明は、布保護成分と相容性があり、好ましくは陽イオン、両性、または陰イオン蛍光増白剤を、組成物の全重量を基準として、０．３〜１０重量％、好ましくは０．３〜３重量％と、所望により布保護成分、好ましくは布柔軟剤、しみ除去成分またはしみ防止成分、または防水剤とを含み、残部が実質的に水である、安定で濃厚な布ゆすぎ組成物を提供する。
　布保護成分は、組成物の全重量を基準として２〜２５重量％、好ましくは５〜２０重量％の量で存在する。
【０００８】
　第２の特徴として、本発明は、布保護成分、好ましくは陽イオン布柔軟剤を２〜２５重量％、好ましくは５〜２０重量％と、布保護成分と相容性がある蛍光増白剤、好ましくは陽イオン、両性または陰イオン蛍光増白剤を０．３〜１０重量％、好ましくは０．３〜３重量％とを含み、残部が実質的に水である安定で濃厚なゆすぎサイクル布柔軟剤組成物を提供する。
【０００９】
　陽イオン布柔軟剤の好ましい例はイミダゾリン、四級アンモニウム化合物、エステルアミドアミン塩、およびそれらの混合物である。
　好ましいイミダゾリン陽イオン布柔軟剤は、次式を有するものである。
【化１】
2004068246.tif 000002
　式中、Ｒは水素またはＣ１−Ｃ４アルキルであり、Ｒ１はＣ８−Ｃ３０脂肪族残基であり、Ｒ２は−Ｃ２Ｈ４−Ｏ（Ｃ＝Ｏ）−Ｒ１または−Ｃ２Ｈ４−ＮＨ（Ｃ＝Ｏ）−Ｒ１であり、Ａ−は陰イオンである。
　好ましくは、Ｒは水素またはメチルであり、Ｒ１はＣ１４−Ｃ１８アルキルまたはＣ１４−Ｃ１８アルケニルであり、Ｒ２は−Ｃ２Ｈ４−Ｏ（Ｃ＝Ｏ）−Ｃ１４−Ｃ１８アルキルまたは−Ｃ２Ｈ４−Ｏ（Ｃ＝Ｏ）−Ｃ１４−Ｃ１８　アルケニル、または−Ｃ２Ｈ４−ＮＨ（Ｃ＝Ｏ）−Ｃ１４−Ｃ１８アルキル、または−Ｃ２Ｈ４−ＮＨ（Ｃ＝Ｏ）−Ｃ１４−Ｃ１８アルケニルである。
【００１０】
　他の好ましいイミダゾリン陽イオン布柔軟剤は、次式を有するものである。
【化２】
2004068246.tif 000003
　式中、Ｒ１およびＡ−は前記の意味を有し、Ｒ３とＲ４とは独立的にＣ８−Ｃ３０脂肪族残基、Ｃ１−Ｃ４アルキル、Ｃ１−Ｃ４ハロゲノアルキル、Ｃ１−Ｃ４ヒドロキシアルキル、または−Ｃ２Ｈ４−Ｎ（Ｒ５）−Ｃ（＝Ｏ）−Ｒ６である（ここにおいてＲ５は水素またはＣ８−Ｃ３０アルキルであり、Ｒ６は水素またはＣ１−Ｃ４アルキルである）。
　好ましくは、Ｒ１はＣ１４−Ｃ１８アルキルまたはＣ１４−Ｃ１８アルケニルであり、Ｒ３はＣ１４−Ｃ１８アルキル、Ｃ１４−Ｃ１８アルケニル、Ｃ１−Ｃ４アルキル、Ｃ１−Ｃ４ハロゲノアルキル、またはＣ１−Ｃ４ヒドロキシアルキルであり、Ｒ４は−Ｃ２Ｈ４−Ｎ（Ｒ５）−Ｃ（＝Ｏ）−Ｒ６である（ここにおいてＲ５は水素またはＣ８−Ｃ３０アルキルであり、Ｒ６は水素またはＣ１−Ｃ４アルキルである）。
　好ましい陰イオンＡ−は、塩化物、臭化物、ヨウ化物、フッ化物、硫酸塩、メト硫酸塩、亜硝酸塩、硝酸塩、またはリン酸塩の陰イオン、および酢酸塩、アジピン酸塩、フタル酸塩、安息香酸塩、ステアリン酸塩、またはオレイン酸塩の陰イオンのようなカルボン酸塩の陰イオンを含む。
【００１１】
　式（１）の好ましい特別の化合物の例として、以下のものが挙げられる。
　２−獣脂−１−（２−ステアロイルオキシエチル）−イミダゾリンクロリド、
　２−獣脂−１−（２−ステアロイルオキシエチル）−イミダゾリンスルファート、
　２−獣脂−１−（２−ステアロイルオキシエチル）−イミダゾリンメトスルファート、
　２−獣脂−１−メチル−３−（２−ステアロイルアミドエチル）−イミダゾリンクロリド、
　２−獣脂−１−メチル−３−（２−ステアロイルアミドエチル）−イミダゾリンスルファート、
　２−獣脂−１−メチル−３−（２−ステアロイルアミドエチル）−イミダゾリンメトスルファート。
【００１２】
　式（２）の好ましい化合物の特別の例として、以下のものが挙げられる。
　２−ヘプタデシル−１−メチル−１−オレイルアミドエチル−イミダゾリニウムメトスルファート、
　２−ヘプタデシル−１−メチル−１−（２−ステアロイルアミド）エチル−イミダゾリニウムメトスルファート、
　２−ヘプタデシル−１−メチル−１−（２−ステアロイルアミド）エチル−イミダゾリニウムクロリド、
　２−ココ−１−（２−ヒドロキシエチル）−１−ベンジル−イミダゾリニウムクロリド、
　２−ココ−１−（２−ヒドロキシエチル）−１−（４−クロロブチル）−イミダゾリニウムクロリド、
　２−ココ−１−（２−ヒドロキシエチル）−１−オクタデセニル−イミダゾリニウムクロリド、
　２−獣脂−１−（２−ヒドロキシエチル）−１−ベンジル−イミダゾリニウムクロリド、
　２−獣脂−１−（２−ヒドロキシエチル）−１−（４−クロロブチル）−イミダゾリニウムクロリド、
　２−ヘプタデセニル−１−（２−ヒドロキシエチル）−１−（４−クロロブチル）−イミダゾリニウムクロリド、
　２−ヘプタデセニル−１−（２−ヒドロキシエチル）−１−ベンジル−イミダゾリニウムクロリド、
　２−ヘプタデセニル−１−（２−ヒドロキシエチル）−１−オクタデシル−イミダゾリニウムクロリド。
【００１３】
　好ましい四級アンモニウム化合物の１つのクラスは、次式を有するものである。
【化３】
2004068246.tif 000004
　式中、Ｒ７はＣ８−Ｃ３０脂肪族残基であり、Ｒ８、Ｒ９、Ｒ１０、Ｒ１１およびＲ１２は独立的に水素、Ｃ１−Ｃ４アルキル、またはＣ１−Ｃ４ヒドロキシアルキルであり、Ａ−は前記の意味をもち、ｍは１〜５の整数であり、ｎは２〜６の整数である。
　式（３）の好ましい化合物は、Ｒ７がＣ１２−Ｃ１８アルキルであり、Ｒ８、Ｒ９、Ｒ１０、Ｒ１１およびＲ１２が独立的にＣ１−Ｃ４アルキル、特にメチルである化合物である。
【００１４】
　式（３）の好ましい化合物の特別の例として、以下のものが挙げられる。
　Ｎ−（獣脂）−Ｎ，Ｎ，Ｎ′，Ｎ′−テトラメチル−１，３−プロパンジアンモニウムジメトスルファート、
　Ｎ−（獣脂）−Ｎ，Ｎ′，Ｎ′−トリメチル−１，３−プロパンジアンモニウムジメトスルファート、
　Ｎ−（獣脂）−Ｎ，Ｎ，Ｎ′，Ｎ′，Ｎ′−ペンタメチル−１，３−プロパンジアンモニウムジメトスルファート、
　Ｎ−オレイル−Ｎ，Ｎ，Ｎ′，Ｎ′，Ｎ′−ペンタメチル−１，３−プロパンジアンモニウムジメトスルファート、
　Ｎ−ステアリル−Ｎ，Ｎ，Ｎ′，Ｎ′，Ｎ′−ペンタメチル−１，３−プロパンジアンモニウムジメトスルファート、
　Ｎ−ステアリルオキシプロピル−Ｎ，Ｎ′，Ｎ′−トリス（３−ヒドロキシプロピル）−１，３−プロパンジアンモニウムアセタート。
【００１５】
　好ましい四級アンモニウム化合物の別のクラスは、次式を有するものである。
【化４】
2004068246.tif 000005
　式中、Ａ−は前記の意味を有し、Ｒ１３は同一かまたは異なることができ、それぞれＣ１−Ｃ３０脂肪族残基、Ｃ１−Ｃ４ヒドロキシアルキル、−Ｃ２Ｈ４ＯＣ（＝Ｏ）−Ｒ１、−Ｃ２Ｈ４ＮＨＣ（＝Ｏ）−Ｒ１、または−ＣＨ２ＣＨ〔ＯＣ（＝Ｏ）−Ｒ１〕〔ＣＨ２ＯＣ（＝Ｏ）−Ｒ１〕である。ただし、少なくとも一個のＲ１３、好ましくは二個のＲ１３はＣ１４−Ｃ３０アルキル、−Ｃ２Ｈ４ＯＣ（＝Ｏ）−Ｃ１４−Ｃ３０アルキル、−Ｃ２Ｈ４ＮＨＣ（＝Ｏ）−Ｃ１４−Ｃ３０アルキル、または−ＣＨ２ＣＨ〔ＯＣ（＝Ｏ）−Ｃ１４−Ｃ３０　アルキル〕〔ＣＨ２ＯＣ（＝Ｏ）−Ｃ１４−Ｃ３０アルキル〕である。好ましくは、残りのＲ１３はＣ１−Ｃ４アルキル、特にメチルまたはエチル、またはＣ１−Ｃ４ヒドロキシアルキル、特にヒドロキシメチルまたはヒドロキシエチルである。
【００１６】
　式（４）の好ましい化合物の特別の例として、以下のものが挙げられる。
　ジステアリルジメチルアンモニウムクロリド、
　ジラウリルジメチルアンモニウムクロリド、
　ジヘキサデシルジメチルアンモニウムクロリド、
　ジステアリルジメチルアンモニウムブロミド、
　ジステアリルジメチルアンモニウムメトスルファート、
　ジステアリルジ（イソプロピル）アンモニウムクロリド、
　ジステアロイル（ヒドロキシエチル）メチルアンモニウムメトスルファート。
【００１７】
　好ましいエステルアミドアミン陽イオン布柔軟剤は次式を有するものである。
【化５】
2004068246.tif 000006
　式中、Ｒ１３は前記の意味を有し、Ａ１は陰イオンＡ−がそれから誘導される無機酸または有機酸であり、Ａ−は前記の意味を有する。ただし少なくとも一個のＲ１３、好ましくは二個のＲ１３はＣ１４−Ｃ３０アルキル、（ＣＨ２）ｎＯＣ（＝Ｏ）−Ｃ１４−Ｃ３０アルキル、（ＣＨ２）ｎＮＨＣ（＝Ｏ）−Ｃ１４−Ｃ３０アルキル、またはＣＨ２ＣＨ〔ＯＣ（＝Ｏ）−Ｃ１４−Ｃ３０アルキル〕〔ＣＨ２ＯＣ（＝Ｏ）−Ｃ１４−Ｃ３０アルキル〕であり、ｎは前記の意味を有する。好ましくは、残りのＲ１３はＣ１−Ｃ４アルキル、特にメチルまたはエチル、またはＣ１−Ｃ４ヒドロキシアルキル、特にヒドロキシメチルまたはヒドロキシエチルである。
　式（５）の好ましい化合物は、３−ステアロイルアミドプロピル−２−ステアロイルオキシメチル−メチルアミン塩酸塩である。
【００１８】
　使用される陽イオン、両性、または陰イオン蛍光増白剤は、広い範囲の陽イオン、両性、または陰イオン蛍光増白剤の１種またはそれ以上であることができ、特にλ＝２８０〜４００nmの範囲の紫外線を容易に吸収し、吸収したエネルギーを化学中間反応によって、非妨害性の安定な化合物またはエネルギーの非妨害性形に変えるものである。陽イオン、両性、または陰イオン蛍光増白剤は、好ましくはゆすぎサイクル布保護剤と相容性であるべきであり、またゆすぎサイクル布保護処理中に、洗った繊維材料上に吸収され得るべきである。
【００１９】
　陽イオン蛍光増白剤は、好ましくはビスチリルフェニルのクラスまたはホスフィン酸塩のクラスのものであり、両性蛍光増白剤は、好ましくはスチレンまたはアミンオキシドのクラスのものであり、陰イオン蛍光増白剤は、好ましくはアミノスチルベン、ジベンゾフラニルビフェニルまたはビスチリルフェニルのクラスのものである。
【００２０】
　陽イオンビスチリルフェニル蛍光増白剤の一つの好ましいクラスは、次式を有するものである。
【化６】
2004068246.tif 000007
　式中、Ｙはアリーレン、好ましくは１，４−フェニレンまたは４，４′−ジフェニレンであり、それぞれは所望によりクロロ、メチル、またはメトキシによって置換されており、ｑは１または２であり、Ｒ１４は水素、クロロ、Ｃ１−Ｃ４アルキル、Ｃ１−Ｃ４アルコキシ、シアノ、またはＣ１−Ｃ４アルコキシカルボニルであり、Ｒ１５およびＲ１６はＣ１−Ｃ４アルキル、クロロエチル、メトキシエチル、β−エトキシエチル、β−アセトキシエチルまたはβ−シアノエチル、ベンジル、またはフェニルエチルであり、Ｒ１７はＣ１−Ｃ４アルキル、Ｃ２−Ｃ３ヒドロキシアルキル、β−ヒドロキシ−γ−クロロプロピル、β−シアノエチル、またはＣ１−Ｃ４アルコキシカルボニルエチルであり、Ａ−は陰イオンであり、Ｒ１７がＣ１−Ｃ４アルキルであるときは、Ａ−は好ましくは塩化物、臭化物、ヨウ化物、メト硫酸塩、エト硫酸塩、ベンゼンスルホン酸塩、またはｐ−トルエンスルホン酸塩の陰イオンであり、またはＲ１７がβ−ヒドロキシ−γ−クロロプロピル、β−シアノエチルまたはＣ１−Ｃ４アルコキシカルボニルエチルであるときは、好ましくはＡ−はギ酸塩、酢酸塩、プロピオン酸塩、または安息香酸塩の陰イオンである。
【００２１】
　式（６）の好ましい化合物は、Ｙが１，４−フェニレンまたは４，４′−ジフェニレンであり、Ｒ１４が水素、メチル、またはシアノであり、Ｒ１５およびＲ１６が各々メチルまたはシアノであり、Ｒ１７とＡとが上記の好ましい意味をもつものである。
　式（６）の一つの特に好ましい化合物は次の式を有するものである。
【化７】
2004068246.tif 000008
　式（６）の化合物およびその製法は、米国特許第４００９１９３号に記載されている。
【００２２】
　陽イオンビスチリルフェニル蛍光増白剤のさらに好ましいクラスは、次式を有するものである。
【化８】
2004068246.tif 000009
　式中、Ｒ１４およびｑは前記の意味を有し、Ｙ１はＣ２−Ｃ４アルキレンまたはヒドロキシプロピレンであり、Ｒ１８はＣ１−Ｃ４アルキルであるか、またはＲ１９およびＲ１８とＲ１９とが結合している窒素と共にピロリジン、ピペリジン、ヘキサメチレンイミン、またはモルホリン環を形成し、Ｒ１９はＣ１−Ｃ４アルキルであるか、またはＲ１８およびＲ１８とＲ１９とが結合している窒素と共にピロリジン、ピペリジン、ヘキサメチレンイミン、またはモルホリン環を形成し、Ｒ２０　は水素、Ｃ１−Ｃ４アルキル、Ｃ３−Ｃ４アルケニル、Ｃ１−Ｃ４アルコキシカルボニルメチル、ベンジル、Ｃ２−Ｃ４ヒドロキシアルキル、Ｃ２−Ｃ４シアノアルキルであるか、またはＲ１８およびＲ１９およびこれらが結合している窒素原子と共にピロリジン、ピペリジン、ヘキサメチレンイミン、またはモルホリン環を形成し、Ａは前記意味を有し、ｐは０または１である。
【００２３】
　式（８）の好ましい化合物は、ｑが１であり、Ｒ１４が水素、塩素、Ｃ１−Ｃ４アルキル、またはＣ１−Ｃ４アルコキシであり、Ｙ１で（ＣＨ２）２であり、Ｒ１８およびＲ１９が同一であって、それぞれがメチルまたはエチルであり、Ｒ２０でメチルまたはエチルであり、ｐが１であり、ＡがＣＨ３ＯＳＯ３またはＣ２Ｈ５ＯＳＯ３である化合物である。
　式（８）の化合物およびその製法は、米国特許第４３３９３９３号に記載されている。
【００２４】
　陽イオンビスチリルフェニル蛍光増白剤のさらに好ましいクラスは、次式を有するものである。
【化９】
2004068246.tif 000010
　式中、Ｒ１４、Ｙ１、Ａ、ｐおよびｑは前記の意味を有し、Ｒ２１およびＲ２２は独立的にＣ１−Ｃ４アルキルまたはＣ２−Ｃ３アルケニルであるか、またはＲ２１とＲ２２とは、それらが結合している窒素原子と共にピロリジン、ピペリジン、ヘキサメチレンイミン、またはモルホリン環を形成し、Ｒ２３は水素、Ｃ１−Ｃ４アルキル、またはＣ２−Ｃ３アルケニルであるか、またはＲ２１、Ｒ２２およびＲ２３は、それらが結合している窒素原子と共にピリジンまたはピコリン環を形成し、Ｚは硫黄、−ＳＯ２−、−ＳＯ２ＮＨ−、−Ｏ−Ｃ１−Ｃ４アルキレン−ＣＯＯ−、または−ＯＣＯ−である。
【００２５】
　式（９）の好ましい化合物は、Ｒ１４が水素、塩素、Ｃ１−Ｃ４アルキル、またはＣ１−Ｃ４アルコキシであり、Ｒ２１およびＲ２２が独立的にＣ１−Ｃ４アルキルであるか、またはそれらが結合している窒素原子と共にピロリジン、ピペリジン、またはモルホリン環を形成し、Ｒ２３は水素、Ｃ１−Ｃ４アルキル、またはＣ３−Ｃ４アルケニルであるか、またはＲ２１、Ｒ２２およびＲ２３は、それらが結合している窒素原子と共にピリジン環を形成し、Ｚは硫黄、−ＳＯ２−、または−ＳＯ２ＮＨ−である化合物である。
　式（９）の化合物およびその製法は、米国特許第４４８６３５２号に記載されている。
【００２６】
　陽イオンビスチリルフェニル蛍光増白剤のさらに好ましいクラスは、次式を有するものである。
【化１０】
2004068246.tif 000011
　式中、Ｒ１４、Ｒ２１、Ｒ２２、Ｒ２３、Ｙ１、Ａ、ｐおよびｑは前記の意味をもつ。
　式（１０）の好ましい化合物は、ｑが１であり、Ｒ１４が水素、塩素、Ｃ１−４アルキル、またはＣ１−Ｃ４アルコキシであり、Ｒ２１とＲ２２とが独立的にＣ１−Ｃ４アルキルであるか、またはこれらが結合している窒素原子と共にピロリジン、ピペリジン、またはモルホリン環を形成し、Ｒ２３は水素、Ｃ１−Ｃ４アルキル、またはＣ３−Ｃ４アルケニルであるか、またはＲ２１、Ｒ２２およびＲ２３は、それらが結合している窒素原子と共にピリジン環を形成する化合物である。
　式（１０）の化合物およびその製法は、米国特許第４６０２０８７号に記載されている。
【００２７】
　両性スチレン蛍光増白剤の一つの好ましいクラスは、次式を有するものである。
【化１１】
2004068246.tif 000012
　式中、Ｒ１４、Ｒ２１、Ｒ２２、Ｙ１およびｑは前記の意味を有し、Ｚ１は酸素、硫黄、直接結合、−ＣＯＯ−、−ＣＯＮ（Ｒ２４）−、または−ＳＯ２Ｎ（Ｒ２４）−であり、ここにおいてＲ２４は水素、Ｃ１−Ｃ４アルキル、またはシアノエチルであり、Ｑは−ＣＯＯ−または−ＳＯ３−である。
　式（１１）の好ましい化合物は、Ｚ１が酸素、直接結合、−ＣＯＮＨ−、−ＳＯ２ＮＨ−、または−ＣＯＯ−、特に酸素であり、ｑが１であり、Ｒ２１が水素、Ｃ１−Ｃ４アルキル、メトキシ、または塩素であり、Ｒ２２、Ｒ２３、Ｙ１およびＱが前記意味を有する化合物である。
　式（１１）の化合物およびその製法は、米国特許第４４７８５９８号に記載されている。
【００２８】
　アミンオキシド蛍光増白剤の一つの好ましいクラスは、次式を有するものである。
【化１２】
2004068246.tif 000013
　式中、ｑは前記の意味を有し、Ｂは４，４′−ジスチリルビフェニル、４，４′−ジビニルスチルベン、１，４′−ジスチリルベンゼンから選ばれた増白剤基であり、それぞれは所望によりハロゲン、Ｃ１−Ｃ４アルキル、Ｃ１−Ｃ４ヒドロキシアルキル、Ｃ１−Ｃ４ハロゲノアルキル、Ｃ１−Ｃ４シアノアルキル、Ｃ１−Ｃ４アルコキシ−Ｃ１−Ｃ４アルキル、フェニル−Ｃ１−Ｃ４アルキル、カルボキシ−Ｃ１−Ｃ４アルキル、カルボ−Ｃ１−Ｃ４アルコキシ−Ｃ１−Ｃ４アルキル、Ｃ１−Ｃ４アルケニル、Ｃ５−Ｃ８シクロアルキル、Ｃ１−Ｃ４アルコキシ、Ｃ２−Ｃ４アルケノキシ、Ｃ１−Ｃ４アルコキシカルボニル、カルバモイル、シアノ、Ｃ１−Ｃ４アルキルスルホニル、フェニルスルホニル、Ｃ１−Ｃ４アルコキシスルホニル、スルファモイル、ヒドロキシル、カルボキシル、スルホおよびトリフルオロメチルから選ばれた１個乃至４個の置換基によって置換され、Ｚ２はＢとＹ２との間の直接結合、酸素原子、硫黄原子、−ＳＯ２−、−ＳＯ２Ｏ−、−ＣＯＯ−、−ＣＯＮ（Ｒ２７）−、または−ＳＯ２Ｎ（Ｒ２７）−であり、ここにおいてＲ２７は水素、または所望によりハロゲン、シアノ、ヒドロキシル、Ｃ２−Ｃ５カルボアルコキシ、Ｃ１−Ｃ４アルコキシ、フェニル、クロロフェニル、メチルフェニル、メトキシフェニル、カルバモイル、またはスルファモイルによって置換されたＣ１−Ｃ４アルキルであり、Ｙ２はＣ２−Ｃ４アルキレンまたはＣ２−Ｃ４アルキレンオキシ−Ｃ２−Ｃ４アルキレンであり、それぞれは所望によりハロゲン、ヒドロキシル、Ｃ２−Ｃ５カルボアルコキシ、Ｃ１−Ｃ４アルコキシ、フェニル、クロロフェニル、メチルフェニル、メトキシフェニル、カルバモイル、またはスルファモイルによって置換され、Ｒ２５およびＲ２６は独立的にＣ５−Ｃ８シクロアルキル、Ｃ１−Ｃ４アルキル、またはフェニルであり、それぞれは所望によりハロゲン、ヒドロキシル、Ｃ２−Ｃ５カルボアルコキシ、Ｃ１−Ｃ４アルコキシ、フェニル、クロロフェニル、メチルフェニル、メトキシフェニル、カルバモイル、またはスルファモイルによって置換され、前記において総てのカルバモイルまたはスルファモイル基において、その窒素原子は所望により１個または２個のＣ１−Ｃ４アルキル、Ｃ１−Ｃ４ヒドロキシアルキル、Ｃ２−Ｃ５シアノアルキル、Ｃ１−Ｃ４ハロゲノアルキル、ベンジル、またはフェニル基によって置換されている。
【００２９】
　好ましい増白剤基Ｂは次式を有するものである。
【化１３】
2004068246.tif 000014
　式中、ｑは前記の意味を有し、環は所望により上記のように置換される。
　好ましいＺ２は酸素、−ＳＯ２−、または−ＳＯ２Ｎ（Ｒ２８）−であり、ここにおいてＲ２８は水素、または所望によりヒドロキシル、ハロゲン、またはシアノによって置換されたＣ１−Ｃ４アルキルであり、Ｒ２５およびＲ２６は独立的に、所望によりハロゲン、シアノ、ヒドロキシル、Ｃ１−Ｃ４アルコキシ、フェニル、クロロフェニル、メチルフェニル、メトキシフェニル、またはＣ２−Ｃ５アルコキシカルボニルによって置換されたＣ１−Ｃ４アルキルである。式（１０）の他の好ましい化合物は、Ｚ２が酸素、硫黄、−ＳＯ２−、−ＣＯＮ（Ｒ２８）−、または−ＳＯ２Ｎ（Ｒ２８）−であって、Ｒ２８が水素、または所望によりヒドロキシル、ハロゲン、またはシアノによって置換されたＣ１−Ｃ４アルキルであり、Ｙ２がＣ１−Ｃ４アルキレンである化合物である。
　式（１２）の化合物およびその製法は、米国特許第４５３９１６１号に記載されている。
【００３０】
　陽イオンホスフィン酸塩蛍光増白剤の一つの好ましいクラスは、次式を有するものである。
【化１４】
2004068246.tif 000015
　式中、ｑは前記の意味を有し、Ｂ１は増白剤基であり、Ｚ３は直接結合、−ＳＯ２−Ｃ２−Ｃ４−アルキレンオキシ、−ＳＯ２−Ｃ２−Ｃ４アルキレン−ＣＯＯ−、−ＳＯ２−、−ＣＯＯ−、−ＳＯ２−Ｃ２−Ｃ４アルキレン−ＣＯＮ（Ｒ３３）−または−ＳＯ２Ｎ（Ｒ３３）−であり、ここにおいてＲ３３は水素、または所望によりヒドロキシル、ハロゲン、またはシアノによって置換されたＣ１−Ｃ４アルキルであり、Ｒ２８は所望によりハロゲン、シアノ、ヒドロキシル、Ｃ１−Ｃ４アルコキシカルボニルまたはＣ１−Ｃ４アルキルカルボニルオキシによって置換されたＣ１−Ｃ４アルキルまたはＣ２−Ｃ４アルケニルであり、またはＲ２８は所望によりハロゲン、Ｃ１−Ｃ４アルキルまたはＣ１−Ｃ４アルコキシによって置換されたベンジルであるか、またはＲ２８はＲ２９およびそれらが結合している窒素原子と共にピロリジン、ピペリジンまたはモルホリン基を形成し、Ｒ２９は所望によりハロゲン、シアノ、ヒドロキシル、Ｃ１−Ｃ４アルコキシカルボニルまたはＣ１−Ｃ４アルキルカルボニルオキシによって置換されたＣ１−Ｃ４アルキルまたはＣ２−Ｃ４アルケニルであるか、またはＲ２９は所望によりハロゲン、Ｃ１−Ｃ４アルキルまたはＣ１−Ｃ４アルコキシによって置換されたベンジルであるか、またはＲ２９はＲ２８およびそれらが結合している窒素原子と共にピロリジン、ピペリジンまたはモルホリン基を形成し、Ｒ３０はＣ１−Ｃ４アルキルであり、Ｒ３１　は水素、または所望によりシアノ、ヒドロキシル、Ｃ１−Ｃ４アルコキシカルボニルまたはＣ１−Ｃ４アルキルカルボニルオキシによって置換されたＣ１−Ｃ４アルキルであり、Ｒ３２はＣ１−Ｃ４アルキルである。
【００３１】
　好ましくは、増白剤基Ｂ１は次式
【化１５】
2004068246.tif 000016
　または次式を有する。
【化１６】
2004068246.tif 000017
　各々の式は、所望によりハロゲン、Ｃ１−Ｃ４アルキル、Ｃ１−Ｃ４ヒドロキシアルキル、Ｃ１−Ｃ４ハロゲノアルキル、Ｃ１−Ｃ４シアノアルキル、Ｃ１−Ｃ４アルコキシ−Ｃ１−Ｃ４アルキル、フェニル−Ｃ１−Ｃ４アルキル、カルボキシ−Ｃ１−Ｃ４アルキル、カルボ−Ｃ１−Ｃ４アルコキシ−Ｃ１−Ｃ４アルキル、Ｃ２−Ｃ４アルケニル、Ｃ５−Ｃ８シクロアルキル、Ｃ１−Ｃ４アルコキシ、Ｃ２−Ｃ４アルケノキシ、Ｃ１−Ｃ４アルコキシカルボニル、カルバモイル、シアノ、Ｃ１−Ｃ４アルキル−スルホニル、フェニルスルホニル、Ｃ１−Ｃ４アルコキシスルホニル、スルファモイル、ヒドロキシル、カルボキシル、スルホおよびトリフルオロメチルから選ばれる１個乃至４個の置換基によって置換される。
　式（１３）の化合物およびその製法は、ＧＢ−Ａ−第２０２３６０５号に記載されている。
【００３２】
　本発明において使用するのに好ましいビス（トリアジニル）ジアミノスチルベン陰イオン蛍光増白剤は、次の式を有するものである。
【化１７】
2004068246.tif 000018
【００３３】
　本発明において使用するのに好ましいジベンゾフラニルビフェニル陰イオン蛍光増白剤は、次式を有するものである。
【化１８】
2004068246.tif 000019
【００３４】
　本発明において使用するのに好ましい陰イオンビスチリルフェニル蛍光増白剤は次式を有するものである。
【化１９】
2004068246.tif 000020
　式（１４）乃至（１６）において、Ｒ３３は所望により１個または２個のＳＯ３Ｍ基によって置換されたフェニルであり、Ｒ３４はＮＨ−Ｃ１−Ｃ４アルキル、Ｎ（Ｃ１−Ｃ４アルキル）２、ＮＨ−Ｃ１−Ｃ４アルコキシ、Ｎ（Ｃ１−Ｃ４アルコキシ）２、Ｎ（Ｃ１−Ｃ４アルキル）（Ｃ１−Ｃ４ヒドロキシアルキル）　またはＮ（Ｃ１−Ｃ４ヒドロキシアルキル）２であり、Ｒ３５はＨ、Ｃ１−Ｃ４アルキル、ＣＮ、ＣｌまたはＳＯ３Ｍであり、Ｒ３６およびＲ３７は独立的にＨ、Ｃ１−Ｃ４アルキル、ＳＯ３Ｍ、ＣＮ、ＣｌまたはＯ−Ｃ１−Ｃ４アルキルであるが、Ｒ３５、Ｒ３６およびＲ３７の内の少なくとも２個はＳＯ３Ｍであり、第３の基は可溶化性を有し、Ｒ３８はＨ、ＳＯ３Ｍ、Ｏ−Ｃ１−Ｃ４アルキル、ＣＮ、ＣｌまたはＣＯＯ−Ｃ１−Ｃ４アルキルまたはＣＯＮ（Ｃ１−Ｃ４アルキル）２であり、ＭはＨ、Ｎａ、Ｋ、Ｃａ、Ｍｇ、アンモニウム、モノ−、ジ−、トリ−またはテトラ−Ｃ１−Ｃ４アルキルアンモニウム、モノ−、ジ−またはトリ−Ｃ１−Ｃ４ヒドロキシアルキルアンモニウム、またはＣ１−Ｃ４アルキルおよびＣ１−Ｃ４ヒドロキシアルキル基の混合物によって二置換または三置換されたアンモニウムであり、ｒは０または１である。
　式（１４）乃至（１６）の化合物において、Ｃ１−Ｃ４アルキル基は、たとえばメチル、エチル、ｎ−プロピル、イソプロピルおよびｎ−ブチル、特にメチルである。アリール基はナフチル、または特にフェニルである。
【００３５】
　式（１４）の好ましい特別の例は、次式を有するものである。
【化２０】
2004068246.tif 000021
【化２１】
2004068246.tif 000022
【化２２】
2004068246.tif 000023
　式（１５）の化合物の好ましい例は、次式を有するものである。
【化２３】
2004068246.tif 000024
【化２４】
2004068246.tif 000025
【化２５】
2004068246.tif 000026
【化２６】
2004068246.tif 000027
　式（１６）の化合物の好ましい例は、次式を有するものである。
【化２７】
2004068246.tif 000028
【化２８】
2004068246.tif 000029
【化２９】
2004068246.tif 000030
　式（１４）乃至（１６）の化合物は既知であり、また既知の方法により得ることができる。
【００３６】
　本発明の組成物は、蛍光増白剤の他に１種以上の補助剤を少量含むこともできる。補助剤の例としては、乳化剤、香料、着色染料、乳白剤、ＵＶ吸収剤、殺菌剤、非イオン界面活性剤、アルカリ金属の亜硝酸塩または硝酸塩、特に硝酸ナトリウムのようなゲル化防止剤、ケイ酸ナトリウムのような腐食防止剤が挙げられる。
　この所望の補助剤の各々の量は、組成物の２重量％を越えるべきではない。
【００３７】
　第３の特徴として、本発明はまた、組成物の全重量を基準して０．３〜１０重量％の陽イオン、両性、または陰イオン蛍光増白剤と、所望により布保護成分とを含有し、残部が実質的に水である布ゆすぎ組成物を、予め洗濯した物品に施与することを含む綿布の処理方法を提供する。
　好ましくは、布保護成分は、布柔軟剤、しみ除去成分またはしみ防止成分または防水剤であり、これらは組成物の全重量を基準して好ましくは５〜２５重量％、特に１０〜２０重量％の量において存在する。
【００３８】
　綿布の処理に関する好ましい方法は、組成物の全重量を基準にして５〜２５重量％、好ましくは１０〜２０重量％の陽イオン布柔軟剤と、０．３〜１０重量％、好ましくは０．３〜３重量％の陽イオン、両性または陰イオン蛍光増白剤とを含有し、残部が実質的に水であるゆすぎサイクル布柔軟剤組成物を、予め洗濯した綿布に施与することを含んでいる。
　本発明の方法によって処理される綿布は、羊毛、ポリアミド、木綿、ポリエステル、ポリアクリル、絹、またはそれらの混合物の如き広範なタイプの任意の繊維からのものであることができる。
　本発明の方法および組成物は、洗濯された綿布に改良されたＳＰＦを与え、それによって皮膚に対して増加した保護を与るのみでなく、またたとえばこのようにして処理された綿布の引裂き強さおよび耐光性を改良することによって、本発明によって処理された綿布の有用寿命をも増加する。
　以下次の実施例によって、本発明をさらに説明する。
【００３９】
実施例１
　次のゆすぎサイクル柔軟剤ベース組成物を調製した。
　ジステアリルジメチルアンモニウムクロリド（７０％活性成分）　７．０ｇ
　脂肪アルコールエトキシラート　　　　　　　　　　　　　　　　０．５ｇ
　脱イオン水　　　　　　　　　　　　　　　　　　　　　　　　９２．５ｇ
　これに、次式の両性蛍光増白剤を夫々０．３ｇ、０．９ｇ、または２．７ｇ加えた。
【化３０】
2004068246.tif 000031
【００４０】
実施例２
　次のゆすぎサイクル柔軟剤ベース組成物を調製した。
　ジステアリルジメチルアンモニウムクロリド　　　　　　　　　　７．０ｇ
　脂肪アルコールエトキシラート　　　　　　　　　　　　　　　　０．５ｇ
　脱イオン水　　　　　　　　　　　　　　　　　　　　　　　　９２．５ｇ
　これに、次式の陽イオン蛍光増白剤を夫々０．３ｇ、０．９ｇ、または２．７ｇ加えた。
【化３１】
2004068246.tif 000032
【００４１】
実施例３および４
　綿布５ｇを、まず６０℃において液比１：２０でＥＣＥ標準洗剤４ｇ／リットルを用いて洗った。次に、洗った品物をゆすぎ、まだ湿っている間にゆすぎ柔軟剤処理にかけた。実施例１または２のゆすぎサイクル柔軟剤基剤組成物の量を５ｇ／リットルの量で使用した。水道水を用い、液比１：４０で、２５℃において１０分間処理を行った。次に、柔軟剤処理した品物を、６０℃において遠心乾燥した。
　乾燥された柔軟剤処理した品物の白色度とＳＰＦ値とを測定した。
　次に、乾燥された柔軟剤処理した品物を、はじめの洗浄に使用したのと同じ洗剤および洗濯条件を用いて再洗濯した。ただしゆすぎ後に、再洗濯した品物をゆすぎ柔軟剤処理にかけることなく６０℃において遠心力乾燥した。再洗濯し乾燥した品物の白色度とＳＰＦ値とを測定した。
　乾燥した品物のそれぞれの白色度は、Ganzの方法に従いＤＣＩ／ＳＦ５００分光光度計を用いて測定した。Ganzの方法は、Ciba-Geigy Review 、１９７３／１に詳細に記載されており、またthe Journal of Color and Appearance 、１、No. ５（１９７２）ＩＳＣＣ　Conference on Fluorescence and the Colorimetry of Fluorescent Materials, Williamsburg,１９７２年２月の論文「白色度測定」にも記載されている。
　日光防護率（ＳＰＦ）は、ウルブリヒトボウル（Ulbricht bowl)を備えた二重格子分光光度計を使用して試料を透過したＵＶ線を測定して決定した。ＳＰＦの計算は、Ｂ．Ｌ．Diffey, Ｊ．Robson, Ｊ．Soc. Cosm. Chem., ４０（１９８９），ｐｐ．１３０−１３１に記載されたようにして行なった。
　結果を次表に示す。
【表１】
2004068246.tif 000033
　ＦＷＡ（蛍光増白剤）濃度は、ゆすぎ処方物の全重量を基準にしての活性ＦＷＡ化合物の濃度を意味する。
　表の結果は、再洗濯前後の両方で、本発明のゆすぎ組成物を用いて処理された木綿基質のGauz白色度（ＧＷ）およびＳＰＦ値の改良を示している。
　実施例１または２において使用した蛍光増白剤を、次式のいずれかで置き代えたときにも、類似の結果が得られた。
【化３２】
2004068246.tif 000034